(57)【要約】      （修正有）【課題】水道水や井戸水等の配管内の流水を使用して太陽光線を日陰室内等に導入するようにしたシステムである。【解決手段】システム本体内部の流水中の中心線付近に集合した太陽光線を光線誘導管１０内の流水中に送り込み、送り込まれた太陽光線が同一内径の内円周反射面の連続面に囲まれた光線誘導管１０内を何らの干渉光線障害等を受けることなく光の速度で通過し、最終端部に連結する用途変換部を介し日陰室内等に送致・放出されるようにしたシステム。【選択図】図１
0003139413.tif 000002
【実用新案登録請求の範囲】
【請求項１】
システム本体内部の流水中の中心線付近に集合した太陽光線を全内周面に滑らかな反射材被覆が施されている光線誘導管（１０）内に送り込み、送り込まれた太陽光線が同一内径の内円周反射面の連続面に囲まれた光線誘導管（１０）内の流水中を何らの干渉光線障害等を受けることなく光の速度で通過し最終端部に連結する用途変換部（１２）を介し日陰室内等に送致・放出されるようにした水道水や井戸水等の配管内の流水を使用して太陽光線を日陰室内等に導入するシステム。
【考案の詳細な説明】
【考案の詳細な説明】
【技術分野】
【０００１】  本考案は、太陽光線を日陰室内等に導入するのに水道水や井戸水等の配管内の流水を使用して行うようにしたものである。
【背景技術】
【０００２】  従来、太陽光線を日陰室内等に導入するシステムとして知られているものに、
Ａ‥トップライト方式‥建造物の屋根面に直接穴あけし、半透明のガラスやプラスチック等のカバーをかぶせて雨雪の浸入防止を図るもの。
Ｂ‥反射ミラー方式‥別棟の建造物の日照面から反射ミラーやプリズム等を使用して日陰棟の室内等に太陽光線を導入するもの。
Ｃ‥グラスフアイバ方式‥ガラス細線を結束したグラスフアイバーを使用して日照位置から日陰室内等に太陽光線を導入するもの。
等があった。
【考案が解決しようとする課題】
【０００３】  従来の技術で述べたＡのトップライト方式では雨漏りや風害等を受ける恐れがあり、Ｂの反射ミラー或はプリズム方式では個人のプライバシーが侵害される恐れがあり、Ｃのグラスファイブ方式ではグラスファイバーの蓄熱・過熱・発火等の恐れがあった。
【０００４】  そこで本考案は、従来からのものゝ諸欠点を除去して水道水や井戸水等の配管内の流水を使用して太陽光線を日陰室内等に導入するようにしたものである。
【課題を解決するための手段】
【０００５】  現在、すぐれた通信手段の媒体として広く使用されている外周をゴム質材や繊維質材等で被覆して外部光線の浸入を防止した高純度のガラス細線は、細線を内部から見れば滑らかな外周表面内側のほゞ同一内径の滑らかな内円周反射面の連続面で囲まれた光線良導体の高純度ガラス固体であり、一端部より受けた微弱な信号光線を何らの干渉光線障害等を受けることなく遠隔地の他端部に光の速度で正確に伝達しているものである。
【０００６】  本考案は、比較的に純度の保たれている光線良導体で液体である水道水や井戸水等の配管の一部に外部光線の浸入を防止し全内周面に滑らかな反射材被覆を施した光線誘導管１０を設け、システム本体内部の流水中の中心線付近に集合した太陽光線を光線誘導管１０内に送り込み、送り込まれた太陽光線が同一内径の内円周反射面の連続面に囲まれた光線誘導管１０内の流水中を何らの干渉光線障害等を受けることなく光の速度で通過し最終端部に連結する用途変換部１２を介し日陰室内等に送致・放出されるようにしたシステムである。
【考案を実施するための最良の形態】
【０００７】  考案の実施の形態を図面を参照して説明すると、図１に示したシステム本体は透明なガラス或はプラスチック等よりなる円筒形部１の太陽に向い前面側の半円周の受光面２は透明なまゝに、そして後面側半円周の内側或は外側には滑らかな反射材被覆を施した主曲面反射部３が設けられ、また円筒形部１の下方に連結する先端部に出水口５を有する逆円錐形の漏斗部４は金属或はプラスチック等よりなり共に円周面に滑らかな反射材被覆が施されており、また円筒形部１の上方にかぶさり頂部に水道水や井戸水等の供給を受ける給水口７を有する半球形の椀蓋部８も金属或はプラスチック等よりなり内周面に滑らかな反射材被覆が施されて副曲面反射部９を形成している。また円筒形部１内の漏斗部４上面には、ガラスよりなり中心部に流水通路用のレンズ孔６′を有する光線集合レンズ６が装着されている。【０００８】  そして受光面２より受け入れた太陽光線は、システム内部を満たす流水の屈折作用や主・副の曲面反射部３・９の反射作用等によりほゞ本体内部の流水中の中心線付近に集合した太陽光線を漏斗部４上面の光線集合レンズ６が出水口５の入口付近に最集合させて集合度を高めている。【０００９】  次に図２に示した光線誘導管１０は、出水口５の入口付近に再集合させて集合度を高めた太陽光線が出水口５と同一内径を有して連結する全内円周面に滑らかな反射材被覆が施されている金属或はプラスチック等よりなる光線誘導管１０の流水内に送り込まれる。【００１０】  光線誘導管１０の流水内に送り込まれた太陽光線は、同一内径の内円周反射面の連続面に囲まれた光線誘導管１０内の流水中を何らの干渉光線障害等を受けることなく光の速度で通過し最終端部に連結する用途変換部１２の流水中に到達する。【００１１】  光線誘導管１０と同一材質等よりなり最終端部に連結し、内部のガラスよりなる光線拡散レンズ１１及び家庭用水配管１３以外の内周面に同じく滑らかな反射材被覆が施され周囲に流水通路用のふくらみを有する用途変換部１２の流水中に到達した太陽光線は、日陰室内等の天井面や内壁面等に設けた透明或は半透明のガラス板やプラスチック板等を通し日陰室内等に送致・放出されるようにしたものである。【００１２】  こゝで、考案システムを構成する各部材及び各部材間の連結部は、夫々充分に流水圧力に耐えうるものであり、また図１図２の中で点線斜線が引かれた部分は滑らかな反射材被覆が施されている部分を示したもので、断面を表すものでないことを特記しておく。
【考案の効果】
【００１３】  考案システム内の水道水や井戸水等の流水は、太陽光線を日陰室内等に導入する役目とは別に随時家庭用水として使用できるもので、家庭用水配管１３よりの使用水量に等しい新規の流水がまた給水口７より供給されてシステム内は常に流水で満たされているものである。
【００１４】  このように構成された考案システムは、かぎられた日陰室内への太陽光線の導入の用途だけにとゞまらず、例えばアパート・マンション等の軒並みの日陰室解消には日照面外壁の各階各世帯ごとの窓上や窓下等の日照外壁面にあたかもエヤコンの室外器等と同様に専用金具でシステム本体を簡単に取り付け、本体への給水配管や光線誘導管１０等は各世帯ごとの天井上や床下等に通常の水道配管と同様の工事で各階いずれの世帯の日陰室内にも容易に太陽光線を導入することができる効果があり、しかも個人個人のプライバシーが侵害される恐れの全くない隣接集団の安全・安心な太陽光線の導入ができる効果もある。
【００１５】  また考案システムは、建造物の日照面や屋上周囲等にシステム本体の複数本を併列させて設け多量の太陽光線の導入をはかれば、終日点燈を必要とするデパート・駅ビル・スーパー等の昼間の電力消費を大巾に削減することができ、また工場・オヒィス・学校等の各階ごとの広い部屋の窓ぎわから遠い座席のテーブル上も窓ぎわ座席のテーブル上と同等の明るさが得られ上記と同様に昼間の電力消費を大巾に削減できる効果があり、また屋上の大面積を占拠する必要のある太陽光発電とは異なり広い屋上を従来通りスポーツなり緑化・散策等で楽しむことができる効果もある。
【００１６】  また考案システムは、受光面２より受け入れた太陽光線を用途変換部１２を介し刻々日陰室内等に送致・放出するので、システム内の流水の温度上昇が極力抑制されているのを特徴とするものであり、また円筒形部１の後面側半円周の内側（内側の場合は外周より磁力誘導する）或は外側に設けた主曲面反射部３に太陽位置をソーラー方式またわ時計方式で追尾させることもできる。
【図面の簡単な説明】
【図１】太陽に向うよう設置したシステム本体の側面断面図である。
【図２】システム本体に連結する光線誘導管の側面断面図である。
【符号の説明】
１  円筒形部
２  受光面
３  主曲面反射部
４  漏斗部
５  出水口
６  光線集合レンズ
６′  レンズ孔
７  給水口
８  椀蓋部
９  副曲面反射部
１０  光線誘導管
１１  光線拡散レンズ
１２  用途変換部
１３  家庭用水配管
【図１】
0003139413.tif 000003
【図２】
0003139413.tif 000004
【手続補正書】
【提出日】平成19年5月28日(2007.5.28)
【手続補正１】
【補正対象書類名】明細書
【補正対象項目名】００１５
【補正方法】変更
【補正の内容】
【００１５】  また考案システムは、建造物の日照面や屋上周囲等にシステム本体の複数本を併立させて設け多量の太陽光線の導入をはかれば、終日点燈を必要とするデパート・駅ビル・スーパー等の昼間の電力消費を大巾に削減することができ、また工場・オフィス・学校等の各階ごとの広い部屋の窓ぎわから遠い座席のテーブル上も窓ぎわ座席のテーブル上と同等の明るさが得られ上記と同様に昼間の電力消費を大巾に削減できる効果があり、また屋上の大面積を占拠する必要のある太陽光発電とは異なり広い屋上を従来通りスポーツなり緑化・散策等で楽しむことができる効果もある。
【手続補正２】
【補正対象書類名】明細書
【補正対象項目名】００１６
【補正方法】変更
【補正の内容】
【００１６】  また考案システムは、受光面２より受け入れた太陽光線を用途変換部１２を介し刻々日陰室内等に送致・放出するので、システム内の流水の温度上昇が極力抑制されているのを特徴とするものであり、また円筒形部１の後面側半円周の内側（内側の場合は外周より磁力誘導する）或は外側に設けた主曲面反射部３に太陽位置をソーラー方式または時計方式で追尾させることもできる。
【手続補正書】
【提出日】平成19年8月20日(2007.8.20)
【手続補正１】
【補正対象書類名】実用新案登録請求の範囲
【補正対象項目名】全文
【補正方法】変更
【補正の内容】
【実用新案登録請求の範囲】
【請求項１】
透明な円筒形部（１）の太陽に向い後面側半円周の内側或は外側に主曲面反射部（３）を設け、また円筒形部（１）の上方に半球形の内周面に副曲面反射部（９）を有し頂部に給水口（７）を有する椀蓋部（８）をかぶせるよう設け、更に円筒形部（１）の下方に逆円錐形の下端部に出水口（５）を有し共に内周面に反射材被覆された漏斗部（４）が上面にレンズ孔（６′）を有する光線集合レンズ（６）を装着して連結するよう設けたシステム本体の構造。
【請求項２】
システム本体と、本体下端部の出水口（５）に同一内径を有して連結し全内周面に反射材被覆が施された光線誘導管（１０）と、更に光線誘導管（１０）の最終端部に連結する用途変換部（１２）の底部の中心部に設けた光線拡散レンズ（１１）及び底部の内周面上から外部に向い設けた家庭用水配管（１３）の２ケ所部分以外の内周面に反射材被覆を施した用途変換部（１２）とよりなる構造の水道水や井戸水等の配管内の流水を使用して太陽光線を日陰室内等に導入するシステム。
【手続補正２】
【補正対象書類名】明細書
【補正対象項目名】００１１
【補正方法】変更
【補正の内容】
【００１１】また光線誘導管１０と同質材等よりなる用途変換部１２は図２の断面図に示す如く、その底部の中心部にガラスよりなる光線拡散レンズ１１と同じく底部の内周面上から外部に向い設けた家庭用水配管１３との２ケ所部分以外の内周面に滑らかな反射材被覆が施され、用途変換部１２の流水中に到達した太陽光線は光線拡散レンズ１１を介し日陰室内等に送致・放出されるようにしたものである。
【手続補正３】
【補正対象書類名】明細書
【補正対象項目名】００１３
【補正方法】変更
【補正の内容】
【００１３】
【考案の効果】
考案システム内の流水は、太陽光線を日陰室内等に導入する役目とは随時家庭用水として使用できるもので、家庭用水の必要に応じ家庭用水配管１３内に出る流水は太陽光線の導入の役目からは解放された家庭用水だけの用途に変換されて供給され、その使用水量に等しい新規の流水がたゞちに給水口７より供給されてシステム内は常に流水で満たされているものである。
【手続補正書】
【提出日】平成19年10月24日(2007.10.24)
【手続補正１】
【補正対象書類名】実用新案登録請求の範囲
【補正対象項目名】全文
【補正方法】変更
【補正の内容】
【実用新案登録請求の範囲】
【請求項１】
透明な円筒形部（１）の太陽に向い後面側半円周の内側或は外側に主曲面反射部（３）を設け、また円筒形部（１）の上方に半球形の内周面に副曲面反射部（９）を有し頂部に給水口（７）を有する椀蓋部（８）をかぶせるよう設け、更に円筒形部（１）の下方に逆円錐形の下端部に出水口（５）を有し共に内周面に反射材被覆された漏斗部（４）が上面にレンズ孔（６′）を有する光線集合レンズ（６）を装着して連結するよう設けたシステム本体の構造。
【請求項２】
「請求項１記載のシステム」の本体下端部の出水口（５）に同一内径を有して連結し全内周面に反射材被覆が施された光線誘導管（１０）と、更に光線誘導管（１０）の最終端部に連結する用途変換部（１２）の底部の中心部に設けた光線拡散レンズ（１１）及び底部の内周面上から外部に向い設けた家庭用水配管（１３）の２ヶ所部分以外の内周面に反射材被覆を施した用途変換部（１２）とよりなる構造の水道水や井戸水等の配管内の流水を使用して太陽光線を日陰室内等に導入するシステム。
【手続補正書】
【提出日】平成19年11月12日(2007.11.12)
【手続補正１】
【補正対象書類名】実用新案登録請求の範囲
【補正対象項目名】全文
【補正方法】変更
【補正の内容】
【実用新案登録請求の範囲】
【請求項１】
透明な円筒形部（１）の太陽に向い後面側半円周の内側或は外側に主曲面反射部（３）を設け、また円筒形部（１）の上方に半球形の内周面に副曲面反射部（９）を有し頂部に給水口（７）を有する椀蓋部（８）をかぶせるよう設け、また円筒形部（１）の下方に逆円錐形の下端部に出水口（５）を有し共に内周面に反射材被覆された漏斗部（４）が上面にレンズ孔（６′）を有する光線集合レンズ（６）を装着して連結する本体と、本体下端部の出水口（５）に同一内径を有して連結し全内周面に反射材被覆が施された光線誘導菅（１０）と、更に光線誘導菅（１０）の最終端部に連結する用途変換部（１２）の底部の中心部に設けた光線拡散レンズ（１１）及び底部の内周面上から外部に向い設けた家庭用水配管（１３）の２ヶ所部分以外の内周面に反射材被覆を施した用途変換部（１２）とよりなる構造の水道水や井戸水等の配管内の流水を使用して太陽光線を日陰室内等に導入するシステム。